(57)【要約】【課題】バッテリーポストへの取り付けに係る信頼性及び作業性を向上させることが可能なバッテリーターミナルを提供する。【解決手段】バッテリーターミナル１は、バッテリーターミナル本体２と、ターミナル下部カバー３とを備えて構成される。バッテリーターミナル本体２は、環状部４、５と、締め付け部６、６とを備え、ターミナル下部カバー３は、基板部１８と、基板部１８から立設し且つ締め付け間隙１６に挿入される挟入部とを備える。この挟入部は、締め付け部６、６が締め付けボルト１１及びナット１２により十分に締め付けられた状態を示すことが可能なインジケーター機能を有するインジケーター機能付き挟入部１９である。【選択図】図１
2010033919.tif 000002
【特許請求の範囲】
【請求項１】
バッテリーのバッテリーポストに取り付けられるバッテリーターミナル本体と、該バッテリーターミナル本体及び前記バッテリー間に配置され前記バッテリーターミナル本体の下部を覆うことにより前記バッテリーターミナル本体の腐食を防止するターミナル下部カバーとを備えて構成され、前記バッテリーターミナル本体は、前記バッテリーポストを挿入するバッテリーポスト挿入穴を有すると共に該バッテリーポスト挿入穴の内周を分断する分断部により前記バッテリーポスト挿入穴を開放した環状部と、該環状部の前記分断部側に左右に並ぶように連成され且つ該分断部に連続する締め付け間隙を形成し且つ該締め付け間隙を横断する締め付けボルトを貫通させるための貫通穴を有する締め付け部と、前記締め付けボルトに螺合されて前記一対の締め付け部を近接する方向に締め付けるためのナットとを備え、前記ターミナル下部カバーは、前記バッテリーポストを挿入する挿入穴が貫通形成される基板部と、該基板部から立設し且つ前記締め付けボルトが挿通されるボルト挿通穴が形成され且つ前記締め付け間隙に挿入される挟入部とを備える、バッテリーターミナルにおいて、
前記挟入部は、前記締め付け部が前記締め付けボルト及び前記ナットにより十分に締め付けられた状態を示すことが可能なインジケーター機能を有するインジケーター機能付き挟入部である
ことを特徴とするバッテリーターミナル。
【請求項２】
請求項１に記載のバッテリーターミナルにおいて、
前記インジケーター機能付き挟入部は、可撓性を有する一対の可撓挟入片からなり、
該一対の可撓挟入片は、所定の間隔を有し且つ前記締め付け間隙に挿入された状態で前記締め付け部の対向面と対向するように設けられて、前記締め付け部を近接方向に締め付けると前記締め付け部に押されて前記一対の可撓挟入片も先端側が近接方向に撓み、前記締め付け部が十分に締め付けられると前記先端側同士が接触するように形成される
ことを特徴とするバッテリーターミナル。
【請求項３】
請求項２に記載のバッテリーターミナルにおいて、
前記一対の可撓挟入片の先端側には、前記締め付け間隙に挿入されると前記一対の締め付け部に引っ掛かるように左右方向に突出した係止突起が設けられる
ことを特徴とするバッテリーターミナル。
【発明の詳細な説明】
【技術分野】
【０００１】
本発明は、バッテリーのバッテリーポストに取り付けられるバッテリーターミナル本体と、バッテリーターミナル本体及びバッテリー間に配置されるターミナル下部カバーとを備えて構成されるバッテリーターミナルに関する。
【背景技術】
【０００２】
従来より、車両に搭載されるバッテリーと、各種電装部品に接続されるケーブルとを電気的に接続するための部材としてバッテリーターミナルが用いられている。このバッテリーターミナルとして、導電性を有する金属材料からなるバッテリーターミナル本体と、合成樹脂により成形されバッテリー液によるバッテリーターミナル本体の腐食を防止するターミナル下部カバーとを備えて構成されるバッテリーターミナルがあり、例えば下記特許文献１に開示されたものが知られている。
【０００３】
図７において、バッテリーターミナル本体１０１は、上下方向に配置される一対の環状部１０２、１０３を有している。この環状部１０２、１０３には、バッテリーポスト１０４を内側に挿入するバッテリーポスト挿通穴１０５が貫通形成されている。環状部１０２、１０３は、バッテリーポスト挿通穴１０５の円周方向の一箇所を分断して形成される締め付け間隙１０６を有している。環状部１０２、１０３は、締め付け間隙１０６により開放された状態となっている。
【０００４】
一対の環状部１０２、１０３は、締め付け間隙１０６側で一対の締め付け部１０７、１０７により上下が連結されている。また、締め付け間隙１０６の反対側では、接合板１０８、１０９が重ね合わせられて電線接続部１１０が形成されている。下側の接合板１０８には、端子固定ボルト１１１が立設されている。この端子固定ボルト１１１は、上側の接合板１０９を貫通して起立した状態となっている。
【０００５】
上下に並べた環状部１０２、１０３を連結する締め付け部１０７、１０７には、貫通穴１１２が形成されている。この貫通穴１１２には、締め付け間隙１０６を横断する締め付けボルト１１３が挿入されている。
【０００６】
締め付け部１０７、１０７の貫通穴１１２を貫通した締め付けボルト１１３は、先端に螺合するナット１１４と共動して、締め付け間隙１０６の両側に並ぶ左右の締め付け部１０７、１０７を接近方向に締め付けられるようになっている。この締め付けにより、環状部１０２、１０３のバッテリーポスト挿通穴１０５は縮径するようになっている。
【０００７】
ターミナル下部カバー１１５は、バッテリーターミナル本体１０１及びバッテリー（不図示）間に設けられている。ターミナル下部カバー１１５は、底板部１１６を有しており、この底板部１１６の周囲には環状部１０３を包囲する壁部１１７が設けられている。また、底板部１１６の略中央位置には、バッテリーポスト１０４を挿入するための挿入穴１１８が貫通形成されている。
【０００８】
底板部１１６の一端側には、締め付け間隙１０６に挿入される挟入部１１９が立設されている。挟入部１１９には、締め付けボルト１１３を挿通するための貫通孔１２０が貫通形成されている。挟入部１１９は、先端に向かって次第に厚みが薄くなるテーパ形状に形成されており、このテーパ角度はバッテリーポスト１０４のテーパ角度と略同一に形成されている。
【０００９】
上記構成において、ターミナル下部カバー１１５の挟入部１１９は環状部１０２、１０３の締め付け間隙１０６に挿入される。ターミナル下部カバー１１５とバッテリーターミナル本体１０１は一体に組み合わされ、ターミナル下部カバー１１５を下側にして挿入穴１１８及びバッテリーポスト挿通穴１０５にバッテリーポスト１０４が挿入される。一対の締め付け部１０７、１０７及び挟入部１１９に締め付けボルト１１３が挿通されナット１１４が螺合して締め付けられると、一対の締め付け部１０７、１０７が互いに接近し、環状部１０２、１０３がバッテリーポストの外周側面に密接した状態となる。この時、テーパ形状のバッテリーポスト１０４に密接した環状部１０２、１０３はテーパに沿って変形し、締め付け部１０７、１０７の対向面同士はハの字状に傾斜する。この結果、締め付け部１０７、１０７の対向面は挟入部１１９の両面と平行になる。更に、ナット１１４を締め付けると、締め付け部１０７、１０７の対向面は平行移動して接近し、挟入部１１９の両面に対して平行に当接した状態となる。
【００１０】
このような従来技術によれば、締め付け部１０７、１０７の対向面が挟入部１１９の両面に対して平行に当接した状態でナット１１４を締め付けできることから、過剰な締め付けによるターミナル下部カバー１１５の挟入部等１１９の変形・破損に対して配慮することが可能になっている。
【特許文献１】特開平１０−１２２１４号公報
【発明の開示】
【発明が解決しようとする課題】
【００１１】
しかしながら、上記従来技術にあっては、締め付け部１０７、１０７の対向面と挟入部１１９の両面とが当接した状態からでも、力を入れることにより更に締め付けることができてしまう。この要因とバッテリーターミナルがバッテリーポストから外れないように締め付けを十分に行う必要があることとが相俟って、過剰な締め付けが行われてしまうことが多くなっている。過剰な締め付けが行われると、バッテリーターミナル本体やターミナル下部カバー等の永久変形等を引き起こし、バッテリーターミナルが機能しない状態になってしまうという恐れがあり、これが問題点となっている。また、十分な締め付けがなされているかどうかは各作業者の作業勘により判断されている。従って、適切な強さの締め付けを行うには熟練が必要となってしまい、結果、作業性が良くないという問題点を有している。
【００１２】
本発明は、上記した事情に鑑みてなされたもので、バッテリーポストへの取り付けに係る信頼性及び作業性を向上させることが可能なバッテリーターミナルを提供することを課題とする。
【課題を解決するための手段】
【００１３】
上記課題を解決するためになされた請求項１記載の本発明のバッテリーターミナルは、バッテリーのバッテリーポストに取り付けられるバッテリーターミナル本体と、該バッテリーターミナル本体及び前記バッテリー間に配置され前記バッテリーターミナル本体の下部を覆うことにより前記バッテリーターミナル本体の腐食を防止するターミナル下部カバーとを備えて構成され、前記バッテリーターミナル本体は、前記バッテリーポストを挿入するバッテリーポスト挿入穴を有すると共に該バッテリーポスト挿入穴の内周を分断する分断部により前記バッテリーポスト挿入穴を開放した環状部と、該環状部の前記分断部側に左右に並ぶように連成され且つ該分断部に連続する締め付け間隙を形成し且つ該締め付け間隙を横断する締め付けボルトを貫通させるための貫通穴を有する締め付け部と、前記締め付けボルトに螺合されて前記一対の締め付け部を近接する方向に締め付けるためのナットとを備え、前記ターミナル下部カバーは、前記バッテリーポストを挿入する挿入穴が貫通形成される基板部と、該基板部から立設し且つ前記締め付けボルトが挿通されるボルト挿通穴が形成され且つ前記締め付け間隙に挿入される挟入部とを備える、バッテリーターミナルにおいて、前記挟入部は、前記締め付け部が前記締め付けボルト及び前記ナットにより十分に締め付けられた状態を示すことが可能なインジケーター機能を有するインジケーター機能付き挟入部であることを特徴としている。
【００１４】
このような特徴を有する本発明によれば、バッテリーターミナルをバッテリーポストに取り付ける際、インジケーター機能付き挟入部を有することから、インジケーター機能付き挟入部が十分な締め付けを示すまで締め付けるだけで、バッテリーターミナルの取り付けが完了する。また、本発明によれば、インジケーター機能付き挟入部を有することから、十分な締め付けがなされたことが視認できるようになる。従って、過剰な締め付けを防止することができ、又、締め付けに係る作業を行い易くすることができる。すなわち、本発明によれば、バッテリーポストへの取り付けに係る作業性及び信頼性を向上させることができる。
【００１５】
請求項２記載の本発明のバッテリーターミナルは、前記インジケーター機能付き挟入部は、可撓性を有する一対の可撓挟入片からなり、該一対の可撓挟入片は、所定の間隔を有し且つ前記締め付け間隙に挿入された状態で前記締め付け部の対向面と対向するように設けられて、前記締め付け部を近接方向に締め付けると前記締め付け部に押されて前記一対の可撓挟入片も先端側が近接方向に撓み、前記締め付け部が十分に締め付けられると前記先端側同士が接触するように形成されることを特徴としている。
【００１６】
このような特徴を有する本発明によれば、締め付け部の締め付けが十分になされた状態を示すために一対の可撓挟入片により、インジケーター機能付き挟入部を形成する。本発明によれば、締め付け部が十分に締め付けられると、一対の可撓挟入片の先端側が接触するようになる。すなわち、十分に締め付け部が締め付けられたこと示した状態となる。
【００１７】
請求項３記載の本発明のバッテリーターミナルは、請求項２に記載のバッテリーターミナルにおいて、前記一対の可撓挟入片の先端側には、前記締め付け間隙に挿入されると前記一対の締め付け部に引っ掛かるように左右方向に突出した係止突起が設けられることを特徴としている。
【００１８】
このような特徴を有する本発明によれば、インジケーター機能付き挟入部を締め付け間隙に挿入すると、係止突起が各締め付け部に引っかかった状態となる。従って、締め付けボルトを挿通する前に仮保持をすることができる。これにより、バッテリーターミナル本体とターミナル下部カバーの組み付け状態を安定させることができる。
【発明の効果】
【００１９】
請求項１に記載された本発明によれば、バッテリーポストへの取り付けに係る信頼性及び作業性を向上させることが可能なバッテリーターミナルを提供することができるという効果を奏する。本発明によれば、締め付け部の過剰な締め付けを防止することができるという効果を奏する。本発明によれば、締め付け部の締め付けが完了した状態を視認することができるという効果を奏する。
【００２０】
請求項２に記載された本発明によれば、インジケーター機能付き挟入部のより良い形態を提供することができるという効果を奏する。
【００２１】
請求項３に記載された本発明によれば、バッテリーターミナルの組み付け作業に係る作業性に配慮することができるという効果を奏する。
【発明を実施するための最良の形態】
【００２２】
以下、図面を参照しながら説明する。図１は本発明のバッテリーターミナルの一実施の形態を示す斜視図である。また、図２はバッテリーターミナルの正面図である。また、図３はバッテリーターミナルの分解斜視図である。また、図４は締め付け部の締め付け前の状態を示す断面図である。また、図５は締め付け部の締め付けが十分になされた状態を示す断面図である。
【００２３】
図１ないし図３において、引用符号１は、バッテリーターミナルを示している。バッテリーターミナル１は、先端の直径が基端の直径よりも小さいテーパ状の周側面を有する既知のバッテリーポスト１０４（図７参照。以下同様）に巻着するようになっている。このバッテリーターミナル１は、特に限定するものではないが、自動車等の移動体に搭載されるバッテリー（不図示）のバッテリーポスト１０４に取り付けられて電気的に接続されるバッテリーターミナル本体２と、バッテリーターミナル本体２の下側を覆うことによりバッテリーターミナル本体２の腐食を防止するターミナル下部カバー３とを備えて構成されている。以下、各構成部材について詳細に説明する。
【００２４】
バッテリーターミナル本体２は、導電性を有する金属板をプレス加工することにより製造されている。本形態においては、Ｓｎメッキが施されている。バッテリーターミナル本体２は、一対の環状部４、５と、一対の締め付け部６、６と、一対の接合板７、８からなるケーブル接続部９とを有している。また、バッテリーターミナル本体２は、一対の接合板７、８により保持される端子固定ボルト１０と、端子固定ボルト１０に螺合するナット（不図示）とを有している。更に、バッテリーターミナル本体２は、後述する締め付けボルト１１と、この締め付けボルト１１に螺合するナット１２と、締め付けボルト１１に挿通されるワッシャ１３とを有している。バッテリーターミナル本体２のケーブル接続部９には、外部接続端子（不図示）が接続されるようになっている。
【００２５】
本明細書において、上記バッテリーポスト１０４の軸方向を上下方向とし、そのバッテリーポスト１０４の先端を上、基端を下と定義する。従って、環状部４が上、環状部５が下に配置されるものとする。また、同様に接合板７が上、接合板８が下に配置されるものとする。この他、上下方向を基準に左右方向や前後方向を決めるものとする。
【００２６】
環状部４の略中央位置には、バッテリーポスト１０４が挿入されるバッテリーポスト挿入穴１４が上下方向に貫通形成されている。バッテリーポスト挿入穴１４は、バッテリーポスト１０４の先端側の直径に合わせて環状に形成されている。バッテリーポスト挿入穴１４は、締め付け部６、６の間となる部分が分断された状態に形成されている。バッテリーポスト挿入穴１４は、この分断部により開放された状態となっている。
【００２７】
環状部５の略中央位置には、バッテリーポスト１０４が挿入されるバッテリーポスト挿入穴１５が上下方向に貫通形成されている。バッテリーポスト挿入穴１５は、バッテリーポスト１０４の基端側の直径に合わせて環状に形成されている。バッテリーポスト挿入穴１５は、締め付け部６、６の間となる部分が分断された状態に形成されている。バッテリーポスト挿入穴１５は、この分断部により開放された状態となっている。尚、バッテリーポスト挿入穴１５の分断部は、バッテリーポスト１０４の分断部の真下位置に形成されているものとする。
【００２８】
締め付け部６、６は、環状部４、５を上下に配置するようにこれらを連結する部分であって、前後方向にＵ字状に湾曲するような形状に形成されている。締め付け部６、６は、バッテリーポスト挿入穴１４、１５の分断部に連続する締め付け間隙１６を有するように配置形成されている。また、締め付け部６、６は、左右方向に並ぶようにも配置形成されている。このような締め付け部６、６の内側には、貫通穴１７が形成されている。
【００２９】
貫通穴１７には、上記締め付けボルト１１が挿入されるようになっている。締め付けボルト１１は、貫通穴１７に挿入されると締め付け間隙１６を左右方向に横断した状態になっている。締め付けボルト１１は、先端に螺合するナット１２と共働して、締め付け間隙１６の両側に配置される締め付け部６、６を互いに近接する方向に締め付けるようになっている（締め付けが生じると、バッテリーポスト挿入穴１４、１５が縮径し、バッテリーポスト１０４への接続固定ができるようになる）。
【００３０】
図１ないし図３において、ターミナル下部カバー３は、バッテリー（不図示）とバッテリーターミナル本体２との間に介在する部材であって、バッテリー液に対して耐食性を持たせるために合成樹脂材料により成形されている。また、ターミナル下部カバー３は、バッテリーターミナル本体２の下側を覆うように形成されている。ターミナル下部カバー３は、本形態において、安価な材料でもあることから、ＰＰ（ポリプロピレン）により成形されている（この限りではないものとする）。ターミナル下部カバー３は、基板部１８とインジケーター機能付き挟入部１９とを有している。
【００３１】
基板部１８は、バッテリーターミナル本体２を平面視した形状に合わせて形成されている。すなわち、基板部１８は、バッテリーターミナル本体２の環状部５及び接合板８に対面し、密着するように形成されている。基板部１８は、板状に形成されてバッテリーポスト１０４を挿入するための挿入穴２０が貫通形成されている。挿入穴２０は、バッテリーポスト１０４の基端側の直径に合わせた略環状に形成されている。
【００３２】
基板部１８には、バッテリーターミナル本体２を囲むような側壁２１が形成されている。基板部１８の後端側の側壁２１には、バッテリーターミナル本体２のケーブル接続部９に係止される被係止部２２が形成されている。被係止部２２は、本形態において、爪状となる形状に形成されている（図３参照）。基板部１８の後端側には、バッテリーターミナル本体２の端子固定ボルト１０の頭部に対応する溝状の逃がし部２３が形成されている。基板部１８の先端位置には、インジケーター機能付き挟入部１９が立設されている。
【００３３】
インジケーター機能付き挟入部１９は、本発明の特徴となる部分として形成されている。インジケーター機能付き挟入部１９は、締め付け部６、６の締め付け間隙１６に挿入される部分となっており、可撓性を有する一対の可撓挟入片２４、２４を備えて構成されている。一対の可撓挟入片２４、２４は、板状に形成されており、締め付けボルト１１を挿通するためのボルト挿通穴２５、２５を有している。一対の可撓挟入片２４、２４は、所定の間隔を有して互いに対向するように設けられると共に締め付け間隙１６に挿入された際に締め付け部６、６の対向面と対向するように設けられている。
【００３４】
図１、図２及び図４に示すように、締め付け間隙１６に挿入された一対の可撓挟入片２４、２４は、先端側が開口した状態となっている。この可撓挟入片２４、２４は、上記締め付けボルト１１及びナット１２により締め付け部６、６が互いに近接する方向に締め付けられると、図５に示すように、締め付け部６、６に押されて可撓挟入片２４、２４の先端側が互いに近接する方向に撓むようになっている。
【００３５】
このような一対の可撓挟入片２４、２４は、締め付け部６、６の締め付けが十分になされている状態になると、一対の可撓挟入片２４、２４の互いの先端側が接触するように形成されている。すなわち、一対の可撓挟入片２４、２４の開口していた先端側が撓んで閉じることにより、締め付けが完了したことを示すようになっている。一対の可撓挟入片２４、２４は、締め付けが十分になされたことを示すインジケーター機能を有するように形成されている。
【００３６】
また、一対の可撓挟入片２４、２４の先端側には、係止突起２６、２６が設けられている。係止突起２６、２６は、左右方向外側に向かって突出するように形成されている。すなわち、可撓挟入片２４、２４が締め付け間隙１６に挿入に挿入された状態で締め付け部６、６側に向かって突出するように形成されている。すなわち、係止突起２６、２６は、締め付け部６、６の上側に引っ掛かるように形成されている。係止突起２６、２６は、本形態において、可撓挟入片２４、２４を締め付け間隙１６に挿入し易くするために先端側に向かって厚さが薄くなるようなテーパ状に形成されている。このような係止突起２６、２６は、ターミナル下部カバー３とバッテリーターミナル本体２とを組み付ける際の仮保持をすることができるようになっている。
【００３７】
次に、上記構成に基づき、ターミナル下部カバー３のバッテリーターミナル本体２に対する組み付けの一例（バッテリーターミナル１の組み付けの一例）を説明する。
【００３８】
先ず、バッテリーターミナル本体２の下方からターミナル下部カバー３を上方に移動させて、締め付け部６、６の間の締め付け間隙１６にインジケーター機能付き挟入部１９（一対の可撓挟入片２４、２４）を挿入する。これにより、貫通穴１７とボルト挿通穴２５とが連通した状態となる。また、可撓挟入片２４、２４の係止突起２６、２６が締め付け部６、６に引っ掛かった状態となる。そして、締め付けボルト１１を横方向から挿入し（締め付け間隙１６を横断するように挿入して）、さらに締め付けボルト１１の端部側からワッシャ１３を挿通した上で締め付けボルト１１の端部にナット１２を螺合させる。これにより、締め付けボルト１１により、インジケーター機能付き挟入部１９が支持された状態となる。
【００３９】
次に、締め付けボルト１１によりインジケーター機能付き挟入部１９が支持されたターミナル下部カバー３を回転移動させ、被係止部２２がケーブル接続部９に引っ掛かけて係止させる。これにより、バッテリーターミナル本体２の下部がターミナル下部カバー３により覆われてバッテリーターミナル１の組み付けが完了した状態となる（図１参照）。尚、ターミナル下部カバー３は、バッテリーターミナル本体２の下部に対して密着した状態となる。
【００４０】
続いて、バッテリーターミナル１のバッテリーポスト１０４に対する取り付けについて説明する。
【００４１】
先ず、バッテリー（不図示）のバッテリーポスト１０４に向かってバッテリーターミナル１を下方向に移動させて、バッテリーポスト挿入穴１４、１５及び挿入穴２０をバッテリーポスト１０４の周側面に接触させる。次に、バッテリーターミナル１の向きを所定方向に合わせて配置する。続いて、バッテリーターミナル１の横方向からインパクトレンチ等の工具（不図示）を用いてナット１２を締め付ける。この締め付けは、インジケーター機能付き挟入部１９の可撓挟入片２４、２４が撓んでこの先端側同士が接触するまで行う（図５参照）。これにより、バッテリーポスト挿入穴１４、１５が縮径する方向に縮み、このバッテリーポスト挿入穴１４、１５がバッテリーポスト１０４の周側面に対して圧接状態となり、バッテリーターミナル１の取り付けが完了する。
【００４２】
以上、図１ないし図５を参照しながら説明してきたように、本発明のバッテリーターミナル１によれば、バッテリーポスト１０４に取り付ける際、インジケーター機能付き挟入部１９の可撓挟入片２４、２４の先端側同士が互いに接触するまで締め付けるだけでバッテリーポスト１０４への取り付けが完了する。これは、可撓挟入片２４、２４の先端側同士が接触することにより、十分な締め付けが行われたことを示すからである。従って、これ以上締め付けなければ、過剰な締め付けとなることはない。本発明のバッテリーターミナル１によれば、インジケーター機能付き挟入部１９が設けられていることから、十分な締め付けがなされたことが視認できる。従って、作業者によらずとも適切な締め付けを行うことができ、結果締め付けに係る作業を行い易くすることができる。本発明のバッテリーターミナル１によれば、バッテリーポスト１０４への取り付けに係る作業性及び信頼性を向上させることができるという効果を奏する。
【００４３】
また、本発明のバッテリーターミナル１によれば、インジケーター機能付き挟入部１９を締め付け間隙１６に挿入すると、係止突起２６、２６が締め付け部６、６に引っ掛かった状態となる。従って、締め付けボルト１１を挿通するに仮保持をすることができる。本発明のバッテリーターミナル１によれば、バッテリーターミナル本体２とターミナル下部カバー３の組み付けをより安定した状態で行うことができるという効果を奏する。
【００４４】
ここで、バッテリーターミナル１に関して補足すると、図６に示す如く、基板部１８に電流センサ（図示省略）を内蔵した、電流センサ一体型のターミナル下部カバー３’に変形しても良いものとする。尚、電流センサはバッテリーから供給される電流を検知してバッテリーの残存容量を監視するためのものとなっている。
【００４５】
この他、本発明は本発明の主旨を変えない範囲で種々変更実施可能なことは勿論である。
【図面の簡単な説明】
【００４６】
【図１】本発明のバッテリーターミナルの一実施の形態を示す斜視図である。
【図２】バッテリーターミナルの正面図である。
【図３】バッテリーターミナルの分解斜視図である。
【図４】締め付け部の締め付け前の状態を示す断面図である。
【図５】締め付け部の締め付けが完了した状態を示す断面図である。
【図６】本発明のバッテリーターミナルの変形例を示す斜視図である。
【図７】従来のバッテリーターミナルを示す分解斜視図である。
【符号の説明】
【００４７】
１  バッテリーターミナル
２  バッテリーターミナル本体
３  ターミナル下部カバー
４、５  環状部
６  締め付け部
７、８  接合板
９  ケーブル端子部
１０  端子固定ボルト
１１  締め付けボルト
１２  ナット
１３  ワッシャ
１４、１５  バッテリーポスト挿入穴
１６  締め付け間隙
１７  貫通穴
１８  基板部
１９  インジケーター機能付き挟入部
２０  挿入穴
２１  側壁
２２  被係止部
２３  逃がし部
２４  可撓挟入片
２５  ボルト挿通穴
２６  係止突起
３０  電流センサ
【図１】
2010033919.tif 000003
【図２】
2010033919.tif 000004
【図３】
2010033919.tif 000005
【図４】
2010033919.tif 000006
【図５】
2010033919.tif 000007
【図６】
2010033919.tif 000008
【図７】
2010033919.tif 000009